(57)【特許請求の範囲】
【請求項１】
無線通信システムにおいて、基地局が通信を行う方法であって、
プライマリ同期信号（Primary Synchronization Signal；ＰＳＳ）を端末に送信し、
第２シーケンスによって乗じられた第１シーケンスに基づいて、セカンダリ同期信号（Secondary Synchronization Signal；ＳＳＳ）を前記端末に送信することであって、前記第１シーケンスは第１シフトインデックスに基づき、前記第２シーケンスは第２シフトインデックスに基づく、ことを有し、
前記第１シフトインデックスは、Ｋ＊（３ ｆｌｏｏｒ（ＮID(1)／１１２）＋ＮID(2)）と等しく、
前記第２シフトインデックスは、ＮID(1)  ｍｏｄ  １１２  と等しく、
ＮID(1)は第１セル識別子であり、ＮID(2)は第２セル識別子であり、Ｋは３より大きい整数である、方法。
【請求項２】
Ｋ＝５である、請求項１に記載の方法。
【請求項３】
前記ＳＳＳは、前記第１シーケンスの要素と前記第２シーケンスの要素との各々を乗じて生成される、請求項１に記載の方法。
【請求項４】
前記ＳＳＳは、他の目的のために予約されていないリソース要素にマッピングされる、請求項１に記載の方法。
【請求項５】
前記ＳＳＳは、前記ＰＳＳがマッピングされるアンテナポートと同じアンテナポートにマッピングされる、請求項１に記載の方法。
【請求項６】
前記第１シーケンスを生成するための多項式と前記第２シーケンスを生成するための多項式とのうちの少なくとも１つは、前記ＰＳＳを生成するための多項式と同一である、請求項１に記載の方法。
【請求項７】
無線通信システムにおいて、端末が通信を行う方法であって、
プライマリ同期信号（Primary Synchronization Signal；ＰＳＳ）を基地局から受信し、
第２シーケンスによって乗じられた第１シーケンスに基づいて、セカンダリ同期信号（Secondary Synchronization Signal；ＳＳＳ）を前記基地局から受信することであって、前記第１シーケンスは第１シフトインデックスに基づき、前記第２シーケンスは第２シフトインデックスに基づき、
前記ＰＳＳ及び前記ＳＳＳに基づいて同期を行う、ことを有し、
前記第１シフトインデックスは、Ｋ＊（３ ｆｌｏｏｒ（ＮID(1)／１１２）＋ＮID(2)）と等しく、
前記第２シフトインデックスは、ＮID(1)  ｍｏｄ  １１２  と等しく、
ＮID(1)は第１セル識別子であり、ＮID(2)は第２セル識別子であり、Ｋは３より大きい整数である、方法。
【請求項８】
Ｋ＝５である、請求項７に記載の方法。
【請求項９】
前記ＳＳＳは、前記第１シーケンスの要素と前記第２シーケンスの要素との各々を乗じて生成される、請求項７に記載の方法。
【請求項１０】
前記ＳＳＳは、他の目的のために予約されていないリソース要素にマッピングされる、請求項７に記載の方法。
【請求項１１】
前記ＳＳＳは、前記ＰＳＳがマッピングされるアンテナポートと同じアンテナポートにマッピングされる、請求項７に記載の方法。
【請求項１２】
前記第１シーケンスを生成するための多項式と前記第２シーケンスを生成するための多項式とのうちの少なくとも１つは、前記ＰＳＳを生成するための多項式と同一である、請求項７に記載の方法。
【請求項１３】
無線通信システムにおける基地局であって、
トランシーバと、
前記トランシーバに動作可能に接続されるプロセッサと、を有し、前記プロセッサは、
プライマリ同期信号（Primary Synchronization Signal；ＰＳＳ）を端末に送信し、
第２シーケンスによって乗じられた第１シーケンスに基づいて、セカンダリ同期信号（Secondary Synchronization Signal；ＳＳＳ）を前記端末に送信することであって、前記第１シーケンスは第１シフトインデックスに基づき、前記第２シーケンスは第２シフトインデックスに基づく、ように構成され、
前記第１シフトインデックスは、Ｋ＊（３ ｆｌｏｏｒ（ＮID(1)／１１２）＋ＮID(2)）と等しく、
前記第２シフトインデックスは、ＮID(1)  ｍｏｄ  １１２  と等しく、
ＮID(1)は第１セル識別子であり、ＮID(2)は第２セル識別子であり、Ｋは３より大きい整数である、基地局。
【請求項１４】
Ｋ＝５である、請求項１３に記載の基地局。
【請求項１５】
前記ＳＳＳは、前記第１シーケンスの要素と前記第２シーケンスの要素との各々を乗じて生成される、請求項１３に記載の基地局。
【請求項１６】
前記ＳＳＳは、他の目的のために予約されていないリソース要素にマッピングされる、請求項１３に記載の基地局。
【請求項１７】
前記ＳＳＳは、前記ＰＳＳがマッピングされるアンテナポートと同じアンテナポートにマッピングされる、請求項１３に記載の基地局。
【請求項１８】
前記第１シーケンスを生成するための多項式と前記第２シーケンスを生成するための多項式とのうちの少なくとも１つは、前記ＰＳＳを生成するための多項式と同一である、請求項１３に記載の基地局。
【請求項１９】
無線通信システムにおける端末であって、
トランシーバと、
前記トランシーバに動作可能に接続されるプロセッサと、を有し、前記プロセッサは、
プライマリ同期信号（Primary Synchronization Signal；ＰＳＳ）を基地局から受信し、
第２シーケンスによって乗じられた第１シーケンスに基づいて、セカンダリ同期信号（Secondary Synchronization Signal；ＳＳＳ）を前記基地局から受信することであって、前記第１シーケンスは第１シフトインデックスに基づき、前記第２シーケンスは第２シフトインデックスに基づき、
前記ＰＳＳ及び前記ＳＳＳに基づいて同期を行う、ように構成され、
前記第１シフトインデックスは、Ｋ＊（３ ｆｌｏｏｒ（ＮID(1)／１１２）＋ＮID(2)）と等しく、
前記第２シフトインデックスは、ＮID(1)  ｍｏｄ  １１２  と等しく、
ＮID(1)は第１セル識別子であり、ＮID(2)は第２セル識別子であり、Ｋは３より大きい整数である、端末。
【請求項２０】
Ｋ＝５である、請求項１９に記載の端末。
【請求項２１】
前記ＳＳＳは、前記第１シーケンスの要素と前記第２シーケンスの要素との各々を乗じて生成される、請求項１９に記載の端末。
【請求項２２】
前記ＳＳＳは、他の目的のために予約されていないリソース要素にマッピングされる、請求項１９に記載の端末。
【請求項２３】
前記ＳＳＳは、前記ＰＳＳがマッピングされるアンテナポートと同じアンテナポートにマッピングされる、請求項１９に記載の端末。
【請求項２４】
前記第１シーケンスを生成するための多項式と前記第２シーケンスを生成するための多項式とのうちの少なくとも１つは、前記ＰＳＳを生成するための多項式と同一である、請求項１９に記載の端末。
【発明の詳細な説明】
【技術分野】
【０００１】
本発明は、無線通信システムにおいて同期信号を送信する方法及びそのための装置に関し、より詳しくは、同期信号に含まれるＰＳＳ（Primary Synchronization Sequence）及びＳＳＳ（Secondary Synchronization Sequence）のシーケンスを送信する方法、及びそのための装置に関する。
【背景技術】
【０００２】
本発明を適用できる無線通信システムの一例として、３ＧＰＰ  ＬＴＥ（3rd Generation Partnership Project Long Term Evolution、以下、「ＬＴＥ」という）通信システムについて概略的に説明する。
【０００３】
図１は、無線通信システムの一例として、Ｅ−ＵＭＴＳネットワーク構造を概略的に示す図である。Ｅ−ＵＭＴＳ（Evolved Universal Mobile Telecommunications System）は、既存のＵＭＴＳ（Universal Mobile Telecommunications System）から進展したシステムであり、現在、３ＧＰＰで基礎的な標準化作業が進行中である。一般に、Ｅ−ＵＭＴＳをＬＴＥ（Long Term Evolution）システムと呼ぶこともできる。ＵＭＴＳ及びＥ−ＵＭＴＳの技術規格（technical specification）の詳細な内容は、それぞれ、「3rd Generation Partnership Project；Technical Specification Group Radio Access Network」のＲｅｌｅａｓｅ  ７及びＲｅｌｅａｓｅ  ８を参照すればよい。
【０００４】
図１を参照すると、Ｅ−ＵＭＴＳは、端末（User Equipment；ＵＥ）、基地局（ｅＮｏｄｅＢ；ｅＮＢ）、及びネットワーク（Ｅ−ＵＴＲＡＮ）の終端に位置して外部ネットワークに接続されるアクセスゲートウェイ（Access Gateway；ＡＧ）を含んでいる。基地局は、ブロードキャストサービス、マルチキャストサービス及び／又はユニキャストサービスのために多重データストリーム（multiple data streams）を同時に送信することができる。
【０００５】
一つの基地局には、一つ又は複数のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（DownLink；ＤＬ）データについて、基地局は、下りリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間では、ユーザトラフィック又は制御トラフィックの送信のためのインターフェースを用いることができる。コアネットワーク（Core Network；ＣＮ）は、ＡＧ、及び端末のユーザ登録などのためのネットワークノードなどで構成可能である。ＡＧは、複数のセルで構成されるＴＡ（Tracking Area）単位で端末のモビリティ（mobility）を管理する。
【０００６】
無線通信技術は、ＷＣＤＭＡ（登録商標）に基づいてＬＴＥまで開発されてきたが、ユーザ及び事業者の要求及び期待は、増す一方である。その上、他の無線アクセス技術（radio access technologies）の開発が続いており、将来、競争力を持つためには、新しい技術の発展（evolution）が要求される。ビット当たりのコストの削減、サービス可用性の増大、柔軟な周波数バンドの使用、単純構造及びオープンインターフェース（open interface）、端末の適正な（appropriate）電力消費（power consumption）などが要求される。
【発明の概要】
【発明が解決しようとする課題】
【０００７】
本発明は、無線通信システムにおける同期信号送信方法及びそのための装置を提供する。
【０００８】
本発明が遂げようとする技術的課題は、以上で言及した技術的課題に制限されず、言及していない他の技術的課題は、以下の発明の詳細な説明から、本発明が属する技術分野における通常の知識を有する者には明確に理解されるであろう。
【課題を解決するための手段】
【０００９】
本発明の実施例による無線通信システムにおいて、基地局がセカンダリ同期信号（Secondary Synchronization Signal：ＳＳＳ）を送信する方法であって、セル識別のための第１セル識別子及び第２セル識別子に基づいて第１シフトインデックスを決定し、第１セル識別子に基づいて第２シフトインデックスを決定し、第１シフトインデックスに基づいて生成された第１シーケンスと第２シフトインデックスに基づいて生成された第２シーケンスとを用いて、セカンダリ同期信号を端末に送信する、ことを有し、第１シフトインデックスは、第１セル識別子、第２セル識別子に基づいて決定された値のＫ倍に決定され、Ｋは３以上の整数である。
【００１０】
このとき、第１シフトインデックスとして可能な値の数と第２シフトインデックスとして可能な値の数との積は、第１セル識別子として可能な値の数と第２セル識別子として可能な値の数との積に対応する。
【００１１】
また、セカンダリ同期信号は、第１シーケンスの要素と第２シーケンスの要素との各々を乗じて生成される。
【００１２】
また、第１シーケンスは、複数のサンプル単位で巡回シフト（cyclic shift）値を適用して生成され、第２シーケンスは、１サンプル単位で巡回シフト値を適用して生成される。
【００１３】
また、セカンダリ同期信号は、セカンダリ同期信号をマッピングするためのリソース要素（resource element）のうちの少なくとも１つの予約されたリソース要素を除いて、残りのリソース要素にマッピングされる。
【００１４】
また、セカンダリ同期信号は、プライマリ同期信号（primary synchronization signal）がマッピングされるアンテナポートと同じアンテナポートにマッピングされて、端末に送信される。
【００１５】
また、第１シーケンスを生成するための多項式と第２シーケンスを生成するための多項式とのうちの少なくとも１つは、プライマリ同期信号を生成するための多項式と同一である。
【００１６】
また、第１シフトインデックスは、ｍ0＝Ｋ＊（３  ｆｌｏｏｒ（ＮID(1)／１１２）＋ＮID(2)）により決定され、ｍ0は第１シフトインデックス、ＮID(1)は第１セル識別子、ＮID(2)は第２セル識別子である。
【００１７】
また、第２シフトインデックスは、ｍ1＝（ＮID(1)  ｍｏｄ  １１２）により決定され、ｍ1は第２シフトインデックス、ＮID(1)は第１セル識別子を示す。
【００１８】
本発明による無線通信システムにおいて、セカンダリ同期信号（Secondary Synchronization Signal：ＳＳＳ）を送信する基地局であって、端末と無線信号を送受信するトランシーバと、該トランシーバに接続されて（connected）、セル識別のための第１セル識別子及び第２セル識別子に基づいて第１シフトインデックスを決定し、第１セル識別子に基づいて第２シフトインデックスを決定し、第１シフトインデックスに基づいて生成された第１シーケンスと第２シフトインデックスに基づいて生成された第２シーケンスとを用いて、セカンダリ同期信号を端末に送信するようにトランシーバを制御する、プロセッサと、を有し、第１シフトインデックスは、第１セル識別子、第２セル識別子に基づいて決定された値のＫ倍に決定され、Ｋは３以上の整数である。
【００１９】
また、第１シフトインデックス及び第２シフトインデックスは、ｍ0＝Ｋ＊（３  ｆｌｏｏｒ（ＮID(1)／１１２）＋ＮID(2)）及びｍ1＝（ＮID(1)  ｍｏｄ  １１２）により決定され、ｍ0は第１シフトインデックス、ｍ1は第２シフトインデックス、ＮID(1)は第１セル識別子、ＮID(2)は第２セル識別子である。
【００２０】
本発明による無線通信システムにおいて、セカンダリ同期信号（Secondary Synchronization Signal：ＳＳＳ）を受信する端末であって、基地局と無線信号を送受信するトランシーバと、該トランシーバに接続されて、基地局からセカンダリ同期信号を有する同期信号を受信するようにトランシーバを制御するプロセッサと、を有し、セカンダリ同期信号は、第１シフトインデックスに基づいて生成される第１シーケンスと第２シフトインデックスに基づいて生成される第２シーケンスとを用いて生成され、第１シフトインデックスは、セル識別のための第１セル識別子、第２セル識別子に基づいて決定され、第２シフトインデックスは、第１セル識別子に基づいて決定され、第１シフトインデックスは、第１セル識別子、第２セル識別子に基づいて決定された値のＫ倍に決定され、Ｋは３以上の整数である。
【００２１】
このとき、第１シフトインデックス、第２シフトインデックスは、各々、ｍ0＝Ｋ＊（３  ｆｌｏｏｒ（ＮID(1)／１１２）＋ＮID(2)）及びｍ1＝（ＮID(1)  ｍｏｄ  １１２）により決定され、ｍ0は第１シフトインデックス、ｍ1は第２シフトインデックス、ＮID(1)は第１セル識別子、ＮID(2)は第２セル識別子である。
【発明の効果】
【００２２】
本発明によれば、以下のような効果や利点が得られる。
【００２３】
本発明によれば、周波数オフセットによってセルＩＤ検出でエラーが発生する現象を減少できる。
【００２４】
本発明で得られる効果は、以上に言及した効果に制限されず、言及していない別の効果は、以下の記載から、本発明の属する技術分野における通常の知識を有する者には明確に理解されるであろう。
【００２５】
上記発明の詳細な説明及び以下の詳細な説明は、両方とも例示や説明のためのものであり、特許請求の範囲に記載されている本発明のさらなる説明を提供するためのものと理解されたい。
【図面の簡単な説明】
【００２６】
【図１】無線通信システムの一例として、Ｅ−ＵＭＴＳネットワーク構造を概略的に示す図である。
【図２】３ＧＰＰ無線アクセスネットワーク（radio access network）の規格に基づく端末とＥ−ＵＴＲＡＮとの間の無線インターフェースプロトコル（Radio Interface Protocol）の制御プレーン（Control Plane）及びユーザプレーン（User Plane）の構造を示す図である。
【図３】３ＧＰＰシステムに用いられる物理チャネル及びこれらを用いた一般的な信号送信方法を説明する図である。
【図４】ＬＴＥシステムで用いられる無線フレームの構造を例示する図である。
【図５】ＬＴＥシステムで使用される同期信号（synchronization signal、ＳＳ）の送信のための無線フレーム構造を例示する図である。
【図６】ＬＴＥシステムで用いられる下りリンク無線フレームの構造を例示する図である。
【図７】ＬＴＥシステムで用いられる上りリンクサブフレームの構造を示す図である。
【図８】ＴＸＲＵとアンテナ要素（antenna elements）との接続（connection）方式（scheme）の一例を示す図である。
【図９】セルフサブフレームの構造（Self-Contained subframe structure）を示す図である。
【図１０】ＰＳＳシーケンスをリソース要素にマッピングする実施例を説明する図である。
【図１１】同期化信号ブロックの構成を説明する図である。
【図１２】同期化信号ブロックの構成を説明する図である。
【図１３】基地局によってＳＳＳがバンドリングされる一実施例を説明する表である。
【図１４】本発明の一実施例によって具現される無線通信システムを示す図である。
【発明を実施するための形態】
【００２７】
本明細書に添付する図面は、本発明に関する理解を提供するためのものであり、本発明の様々な実施形態を示し、明細書の記載と共に本発明の原理を説明するためのものである。
【００２８】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２９】
本明細書では、ＬＴＥシステム及びＬＴＥ−Ａシステムを用いて本発明の実施例を説明するが、これは例に過ぎず、本発明の実施例は、上述した定義に該当するいかなる通信システムにも適用可能である。
【００３０】
また、本明細書では、基地局をＲＲＨ（Remote Radio Head）、ｅＮＢ、ＴＰ（Transmission Point）、ＲＰ（Reception Point）、中継器（relay）などを含む包括的な名称として使うことができる。
【００３１】
図２は、３ＧＰＰ無線アクセスネットワーク規格に基づく端末とＥ−ＵＴＲＡＮとの間の無線インターフェースプロトコル（Radio Interface Protocol）の制御プレーン及びユーザプレーンの構造を示す図である。制御プレーンとは、端末（ＵＥ）とネットワークとが呼を管理するために用いる制御メッセージが送信される通信路（path）のことを意味する。ユーザプレーンとは、アプリケーション層で生成されたデータ、例えば、音声データ又はインターネットパケットデータなどが送信される通信路のことを意味する。
【００３２】
第１層である物理層は、物理チャネル（Physical Channel）を用いて上位層に情報送信サービス（Information Transfer Service）を提供する。物理層は、上位のメディアアクセス制御（Medium Access Control）層とは、トランスポートチャネル（Transport Channel）を介して接続されている。該トランスポートチャネルを通じて、メディアアクセス制御層と物理層との間でデータが移動する。送信側の物理層と受信側の物理層との間では、物理チャネルを通じてデータが移動する。該物理チャネルは、時間及び周波数を無線リソースとして利用する（use）。具体的には、物理チャネルは、下りリンクにおいてＯＦＤＭＡ（Orthogonal Frequency Division Multiple Access）方式で変調され、上りリンクにおいてＳＣ−ＦＤＭＡ（Single Carrier Frequency Division Multiple Access）方式で変調される。
【００３３】
第２層のメディアアクセス制御（Medium Access Control；ＭＡＣ）層は、論理チャネル（Logical Channel）を通じて、上位層である無線リンク制御（Radio Link Control；ＲＬＣ）層にサービスを提供する。第２層のＲＬＣ層は、信頼できるデータ送信をサポートする（supports）。ＲＬＣ層の機能は、ＭＡＣ内部の機能ブロックとしてもよい。第２層のＰＤＣＰ（Packet Data Convergence Protocol）層は、帯域幅の狭い無線インターフェースでＩＰｖ４やＩＰｖ６のようなＩＰパケットを効率的に送信するために、余分な制御情報を減らすヘッダ圧縮（Header Compression）機能を果たす。
【００３４】
第３層の最下部に位置する無線リソース制御（Radio Resource Control；ＲＲＣ）層は、制御プレーンにのみ定義される。ＲＲＣ層は、無線ベアラ（Radio Bearer）の設定（Configuration）、再設定（Re-configuration）及び解放（Release）に関連して、論理チャネル、トランスポートチャネル及び物理チャネルの制御を担当する。無線ベアラ（ＲＢ）とは、端末とネットワークとの間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層との間にＲＲＣ接続（RRC Connected）がある場合に、端末は、ＲＲＣ接続状態（Connected Mode）にあり、そうでない場合は、ＲＲＣアイドル状態（Idle Mode）にあるようになる。ＲＲＣ層の上位にあるＮＡＳ（Non-Access Stratum）層は、セッション管理（Session Management）及びモビリティ管理（Mobility Management）などの機能を果たす。
【００３５】
ネットワークから端末にデータを送信する下りトランスポートチャネルとしては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャスト又はブロードキャスト（broadcast）サービスのトラフィック又は制御メッセージは、下りＳＣＨを通じて送信されてもよく、別の下りＭＣＨ（Multicast CHannel）を通じて送信されてもよい。一方、端末からネットワークにデータを送信する上りトランスポートチャネルとしては、初期制御メッセージを送信するＲＡＣＨ（Random Access CHannel）、ユーザトラフィックや制御メッセージを送信する上りＳＣＨ（Shared CHannel）がある。トランスポートチャネルの上位に存在し、トランスポートチャネルにマッピングされる論理チャネル（Logical Channel）としては、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００３６】
図３は、３ＧＰＰシステムに用いられる物理チャネル及びこれらのチャネルを用いた一般的な信号送信方法を説明する図である。
【００３７】
端末は、電源が入ったり、新しくセルに進入したりした場合に、基地局と同期を取る等の初期セルサーチ（Initial cell search）作業を行う（Ｓ３０１）。そのために、端末は、基地局からプライマリ同期チャネル（Primary Synchronization CHannel；Ｐ−ＳＣＨ）及びセカンダリ同期チャネル（Secondary Synchronization CHannel；Ｓ−ＳＣＨ）を受信して基地局と同期を取り、セルＩＤなどの情報を取得すればよい。その後、端末は、基地局から物理ブロードキャストチャネル（Physical Broadcast Channel）を受信し、セル内ブロードキャスト情報を取得できる。一方、端末は、初期セルサーチ段階で、下りリンク参照信号（DownLink Reference Signal；ＤＬ  ＲＳ）を受信し、下りリンクチャネル状態を確認できる。
【００３８】
初期セルサーチを終えた端末は、物理下りリンク制御チャネル（Physical Downlink Control CHannel；ＰＤＣＣＨ）、及び該ＰＤＣＣＨに載せられた情報に基づいて物理下りリンク共有チャネル（Physical Downlink Shared CHannel；ＰＤＳＣＨ）を受信することによって、より具体的なシステム情報を取得できる（Ｓ３０２）。
【００３９】
一方、基地局に最初に接続したり信号送信のための無線リソースがない場合には、端末は、基地局にランダムアクセス手順（Random Access Procedure；ＲＡＣＨ）を行ってもよい（Ｓ３０３乃至Ｓ３０６）。そのために、端末は、物理ランダムアクセスチャネル（Physical Random Access CHannel；ＰＲＡＣＨ）を通じて特定シーケンスをプリアンブルとして送信し（Ｓ３０３及びＳ３０５）、ＰＤＣＣＨ及び対応するＰＤＳＣＨを通じて、プリアンブルに対する応答メッセージを受信すればよい（Ｓ３０４及びＳ３０６）。コンテンション（contention）ベースのＲＡＣＨについては、衝突解決手順（Contention Resolution Procedure）をさらに行ってもよい。
【００４０】
上述の手順を行った端末は、その後、一般的な上りリンク／下りリンク信号送信手順として、ＰＤＣＣＨ／ＰＤＳＣＨ受信（Ｓ３０７）、及び物理上りリンク共有チャネル（Physical Uplink Shared CHannel；ＰＵＳＣＨ）／物理上りリンク制御チャネル（Physical Uplink Control CHannel；ＰＵＣＣＨ）送信（Ｓ３０８）を行えばよい。特に、端末は、ＰＤＣＣＨを通じて下りリンク制御情報（Downlink Control Information；ＤＣＩ）を受信する。ここで、ＤＣＩは、端末に対するリソース割り当て情報などの制御情報を含んでおり、その使用目的によってフォーマットが異なっている。
【００４１】
一方、端末が上りリンクを通じて基地局に送信する、又は端末が基地局から受信する制御情報は、下りリンク／上りリンクＡＣＫ／ＮＡＣＫ信号、ＣＱＩ（Channel Quality Indicator）、ＰＭＩ（Precoding Matrix Index）、ＲＩ（Rank Indicator）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを通じて送信してもよい。
【００４２】
図４は、ＬＴＥシステムで用いられる無線フレームの構造を例示する図である。
【００４３】
図４を参照すると、無線フレーム（radio frame）は、１０ｍｓ（３２７２００×Ｔｓ）の長さを有し、１０個の均等なサイズのサブフレーム（subframe）で構成されている。それぞれのサブフレームは、１ｍｓの長さを有し、２個のスロット（slot）で構成されている。それぞれのスロットは、０．５ｍｓ（１５３６０×Ｔｓ）の長さを有する。ここで、Ｔｓは、サンプリング時間を表し、Ｔｓ＝１／（１５ｋＨｚ×２０４８）＝３．２５５２×１０-8（約３３ｎｓ）で表される。スロットは、時間領域において複数のＯＦＤＭシンボルを含み、周波数領域において複数のリソースブロック（Resource Block；ＲＢ）を含む。ＬＴＥシステムにおいて、一つのリソースブロックは、１２個の副搬送波×７（６）個のＯＦＤＭシンボルを含む。データの送信される単位時間であるＴＴＩ（Transmission Time Interval）は、一つ又は複数のサブフレーム単位で定めることができる。上述した無線フレームの構造は、例に過ぎず、無線フレームに含まれるサブフレームの数、サブフレームに含まれるスロットの数、又はスロットに含まれるＯＦＤＭシンボルの数は、様々に変更されてもよい。
【００４４】
図５は、ＬＴＥ／ＬＴＥ−Ａベースの無線通信システムにおいて、同期信号（Synchronization Signal、ＳＳ）の送信のための無線フレーム構造を例示する図である。特に、図５は、周波数分割双方向（Frequency Division Duplex、ＦＤＤ）において、同期信号及びＰＢＣＨの送信のための無線フレーム構造を例示しており、図５（ａ）は、ノーマルＣＰ（Normal Cyclic Prefix）として設定された無線フレームにおけるＳＳ及びＰＢＣＨの送信位置を、図５（ｂ）は、拡張ＣＰ（extended CP）として設定された無線フレームにおけるＳＳ及びＰＢＣＨの送信位置を示している。
【００４５】
図５を参照しながら、ＳＳをより具体的に説明すると以下の通りである。ＳＳは、ＰＳＳ（Primary Synchronization Signal）とＳＳＳ（Secondary Synchronization Signal）とに分類される（categorized）。ＰＳＳは、ＯＦＤＭシンボル同期、スロット同期などの時間領域同期（time-domain synchronization）及び／又は周波数領域同期（frequency-domain synchronization）を得るために使用され、ＳＳＳは、フレーム同期、セルグループＩＤ及び／又はセルのＣＰ設定（即ち、ノーマルＣＰ又は拡張ＣＰの使用情報）を得るために使用される。図５を参照すると、ＰＳＳ及びＳＳＳは、各無線フレームの２つのＯＦＤＭシンボルで各々送信される。具体的には、ＳＳは、インターＲＡＴ（inter Radio Access Technology）測定を容易にするためにＧＳＭ（登録商標）（Global System for Mobile communication）フレームの長さである４．６ｍｓを考慮して、サブフレーム０の１番目のスロットとサブフレーム５の１番目のスロットとで各々送信される。特に、ＰＳＳは、サブフレーム０の１番目のスロットの最後のＯＦＤＭシンボルとサブフレーム５の１番目のスロットの最後のＯＦＤＭシンボルとで各々送信され、ＳＳＳは、サブフレーム０の１番目のスロットの最後から２番目のＯＦＤＭシンボルとサブフレーム５の１番目のスロットの最後から２番目のＯＦＤＭシンボルとで各々送信される。該当無線フレームの境界は、ＳＳＳにより検出される。ＰＳＳは、該当スロットの最後のＯＦＤＭシンボルで送信され、ＳＳＳは、ＰＳＳの直前のＯＦＤＭシンボルで送信される。ＳＳの送信ダイバーシチ（diversity）方式では、単一のアンテナポート（Single antenna port）のみを使用するが、標準では別に定義していない。
【００４６】
図５を参照すると、ＰＳＳは、５ｍｓごとに送信されるので、ＵＥは、ＰＳＳを検出することにより該当サブフレームがサブフレーム０及びサブフレーム５のうちの１つであることは分かるが、該当サブフレームがサブフレーム０及びサブフレーム５のうち、具体的に何であるかは把握できない。よって、ＵＥは、ＰＳＳのみでは無線フレームの境界を認知できない。即ち、ＰＳＳのみではフレーム同期を得られない。ＵＥは、１つの無線フレーム内で２回送信され、互いに異なるシーケンスとして送信されるＳＳＳを検出して、無線フレームの境界を検出する。
【００４７】
ＰＳＳ／ＳＳＳを用いたセルサーチ過程（cell search procedure）を行って、ＵＬ信号の復調（demodulation）及びＵＬ信号の送信を正確な時点で行うために必要な時間及び周波数パラメータを決定したＵＥは、ｅＮＢからＵＥのシステム設定に必要なシステム情報を得られないと、ｅＮＢとの通信を行うことができない。
【００４８】
システム情報は、マスタ情報ブロック（Master Information Block、ＭＩＢ）及びシステム情報ブロック（System Information Block、ＳＩＢ）により設定される。各システム情報ブロックは、機能的に関連付けられたパラメータのセット（set）を含み、含まれるパラメータによってマスタ情報ブロック（Master Information Block、ＭＩＢ）、システム情報ブロックタイプ１（System Information Block type 1、ＳＩＢ１）、システム情報ブロックタイプ２（System Information Block type 2、ＳＩＢ２）、ＳＩＢ３〜ＳＩＢ１７に分類される。
【００４９】
ＭＩＢは、ＵＥがｅＮＢのネットワークに初期アクセスする（initially access）ために必須である、最も頻繁に送信されるパラメータを含む。ＵＥは、ＭＩＢをブロードキャストチャネル（例えば、ＰＢＣＨ）を介して受信する。ＭＩＢには、下りリンクシステム帯域幅（DL-BandWidth、ＤＬ  ＢＷ）、ＰＨＩＣＨ設定、システムフレーム番号（ＳＦＮ）が含まれる。したがって、ＵＥは、ＰＢＣＨを受信することにより明示的に（explicit）ＤＬ  ＢＷ、ＳＦＮ、ＰＨＩＣＨ設定に関する情報を把握できる。一方、ＰＢＣＨ受信によりＵＥが暗黙的に（implicit）把握できる情報としては、ｅＮＢの送信アンテナポート数がある。ｅＮＢの送信アンテナ数に関する情報は、ＰＢＣＨのエラー検出に使用される１６ビットＣＲＣ（Cyclic Redundancy Check）に送信アンテナ数に対応するシーケンスをマスク（例えば、ＸＯＲ演算）して暗黙的にシグナリングされる。
【００５０】
ＳＩＢ１は、他のＳＩＢの時間領域スケジューリングに関する情報だけではなく、特定のセルがセル選択に適合したセルであるか否かを判断するために必要なパラメータを含む。ＳＩＢ１は、ブロードキャストシグナリング又は専用（dedicated）シグナリングによりＵＥによって受信される。
【００５１】
ＤＬ搬送波周波数及び該当システム帯域幅は、ＰＢＣＨが運ぶＭＩＢにより得られる。ＵＬ搬送波周波数及び該当システム帯域幅は、ＤＬ信号であるシステム情報により得られる。ＭＩＢを受信したＵＥは、該当セルに対して記憶された（stored）有効システム情報がないと、システム情報ブロックタイプ２（SystemInformationBlockType2、ＳＩＢ２）が受信されるまで、ＭＩＢ内のＤＬ  ＢＷ値をＵＬ帯域幅（ＵＬ  ＢＷ）に適用する。例えば、ＵＥは、システム情報ブロックタイプ２（SystemInformationBlockType2、ＳＩＢ２）を得て、ＳＩＢ２内のＵＬ搬送波周波数及びＵＬ帯域幅情報により自体がＵＬ送信に使用可能な全体の（entire）ＵＬシステム帯域を把握することができる。
【００５２】
周波数領域において、ＰＳＳ／ＳＳＳ及びＰＢＣＨは、実際のシステム帯域幅とは関係なく、該当ＯＦＤＭシンボル内でＤＣ副搬送波を中心として左右３個ずつ合計６個のＲＢ、即ち、合計７２個の副搬送波内でのみ送信される。したがって、ＵＥは、該ＵＥに設定された下りリンク送信帯域幅とは関係なく、ＳＳ及びＰＢＣＨを検出又は復号できるように設定される。
【００５３】
初期セルサーチを終えたＵＥは、ｅＮＢへの接続を完了するためにランダムアクセス過程（random Access procedure）を行う。このために、ＵＥは、物理ランダムアクセスチャネル（physical random Access channel、ＰＲＡＣＨ）を介してプリアンブル（preamble）を送信し、ＰＤＣＣＨ及びＰＤＳＣＨを介してプリアンブルに対する応答メッセージを受信できる。コンテンションベースのランダムアクセス（contention based random Access）の場合、さらなるＰＲＡＣＨの送信と、ＰＤＣＣＨ及びＰＤＣＣＨに対応するＰＤＳＣＨなどの衝突解決手順（contention resolution procedure）と、を行うことができる。
【００５４】
かかる手順を行ったＵＥは、以降の一般的な上／下りリンクの信号送信手順として、ＰＤＣＣＨ／ＰＤＳＣＨ受信及びＰＵＳＣＨ／ＰＵＣＣＨ送信を行うことができる。
【００５５】
ランダムアクセス過程は、ランダムアクセスチャネル（Random Access CHannel、ＲＡＣＨ）過程とも呼ばれる。ランダムアクセス過程は、初期アクセス、上りリンク同期調整、リソース割り当て、ハンドオーバなどの用途に様々に使用される。ランダムアクセス過程は、コンテンションベース（contention-based）過程と、専用の（dedicated）（即ち、非コンテンションベース）過程とに分かれる。コンテンションベースのランダムアクセス過程は、初期アクセスを含めて一般的に使用され、専用のランダムアクセス過程は、ハンドオーバなどに制限的に使用される。コンテンションベースのランダムアクセス過程において、ＵＥは、ＲＡＣＨプリアンブルシーケンスをランダムに（randomly）選択する。したがって、複数のＵＥが同時に同じＲＡＣＨプリアンブルシーケンスを送信することが可能であり、これにより、以降、コンテンション解消過程が必要である。反面、専用のランダムアクセス過程において、ＵＥは、ｅＮＢが該当ＵＥに一意に割り当てられたＲＡＣＨプリアンブルシーケンスを使用する。したがって、他のＵＥとの衝突なしでランダムアクセス過程を行うことができる。
【００５６】
コンテンションベースのランダムアクセス過程は、以下の４段階を含む。以下、段階１〜４で送信されるメッセージを、各々、メッセージ１〜４（Ｍｓｇ１〜Ｍｓｇ４）という。
【００５７】
−段階１：ＲＡＣＨプリアンブル（ＰＲＡＣＨを介して）（ＵＥからｅＮＢへ）
【００５８】
−段階２：ランダムアクセス応答（random Access response、ＲＡＲ）（ＰＤＣＣＨ及びＰＤＳＣＨを介して）（ｅＮＢからＵＥへ）
【００５９】
−段階３：レイヤ２／レイヤ３メッセージ（ＰＵＳＣＨを介して）（ＵＥからｅＮＢへ）
【００６０】
−段階４：コンテンション解消（contention resolution）メッセージ（ｅＮＢからＵＥへ）
【００６１】
専用のランダムアクセス過程は、以下の３段階を含む。以下、段階０〜２で送信されるメッセージを、各々、メッセージ０〜２（Ｍｓｇ０〜Ｍｓｇ２）という。ランダムアクセス過程の一部として、ＲＡＲに対応する上りリンク送信（即ち、段階３）も行われることができる。専用のランダムアクセス過程は、基地局がＲＡＣＨプリアンブル送信を命じる用途のＰＤＣＣＨ（以下、ＰＤＣＣＨオーダ）を用いてトリガされる。
【００６２】
−段階０：専用のシグナリングによるＲＡＣＨプリアンブル割り当て（ｅＮＢからＵＥへ）
【００６３】
−段階１：ＲＡＣＨプリアンブル（ＰＲＡＣＨを介して）（ＵＥからｅＮＢへ）
【００６４】
−段階２：ランダムアクセス応答（ＲＡＲ）（ＰＤＣＣＨ及びＰＤＳＣＨを介して）（ｅＮＢからＵＥへ）
【００６５】
ＲＡＣＨプリアンブルを送信した後、ＵＥは、所定の時間ウィンドウ内でランダムアクセス応答（ＲＡＲ）の受信を試みる。具体的には、ＵＥは、時間ウィンドウ内でＲＡ−ＲＮＴＩ（Random Access RNTI）を有するＰＤＣＣＨ（以下、ＲＡ−ＲＮＴＩ  ＰＤＣＣＨ）（例えば、ＰＤＣＣＨでＣＲＣがＲＡ−ＲＮＴＩにマスクされる）の検出を試みる。ＲＡ−ＲＮＴＩ  ＰＤＣＣＨの検出時、ＵＥは、ＲＡ−ＲＮＴＩ  ＰＤＣＣＨに対応するＰＤＳＣＨ内に自体のためのＲＡＲが存在するか否かを確認する。ＲＡＲは、ＵＬ同期化のためのタイミングオフセット情報を示すタイミングアドバンス（timing advance、ＴＡ）情報、ＵＬリソース割り当て情報（ＵＬグラント情報）、一時的端末識別子（例えば、Temporary Cell-RNTI、ＴＣ−ＲＮＴＩ）などを含む。ＵＥは、ＲＡＲ内のリソース割り当て情報及びＴＡ値によってＵＬ送信（例えば、Ｍｓｇ３）を行うことができる。ＲＡＲに対応するＵＬ送信には、ＨＡＲＱが適用される。したがって、ＵＥは、Ｍｓｇ３の送信後、Ｍｓｇ３に対応する受信応答情報（例えば、ＰＨＩＣＨ）を受信できる。
【００６６】
ランダムアクセスプリアンブル、即ち、ＲＡＣＨプリアンブルは、物理層において長さＴCPのサイクリックプリフィックス（cyclic prefix）及び長さＴSEQのシーケンス部分で構成される。ＴCPのＴSEQは、フレーム構造及びランダムアクセス設定（configuration）に依存する。プリアンブルフォーマットは、上位層により制御される。ＰＡＣＨプリアンブルは、ＵＬサブフレームで送信される。ランダムアクセスプリアンブルの送信は、特定時間及び周波数リソースに制限される。かかるリソースをＰＲＡＣＨリソースといい、ＰＲＡＣＨリソースは、インデックス０が無線フレームにおいて低い番号のＰＲＢ及びサブフレームに対応するように、無線フレーム内のサブフレーム番号及び周波数領域における物理リソースブロック（Physical Resource Block；ＰＲＢ）の昇順に番号付けられる（In order to match an index 0 with a physical resource block (PRB) and a subframe of a lower number in a radio frame, the PRACH resources are numbered in an ascending order of PRBs in subframe numbers in the radio frame and frequency domain）。ランダムアクセスリソースは、ＰＲＡＣＨ設定インデックスによって定義される（３ＧＰＰ  ＴＳ  ３６．２１１標準文書参照）。ＰＲＡＣＨ設定インデックスは、（ｅＮＢで送信される）上位層信号により与えられる。
【００６７】
ＬＴＥ／ＬＴＥ−Ａシステムにおいて、ランダムアクセスプリアンブル、即ち、ＲＡＣＨプリアンブルのための副搬送波間隔（Subcarrier Spacing）は、プリアンブルフォーマット０〜３の場合は１.２５ｋＨｚであり、プリアンブルフォーマット４の場合は７．５ｋＨｚである、と規定される（３ＧＰＰ  ＴＳ  ３６．２１１を参照）。
【００６８】
図６は、下りリンク無線フレームにおいて一つのサブフレームの制御領域に含まれる制御チャネルを例示する図である。
【００６９】
図６を参照すると、サブフレームは、１４個のＯＦＤＭシンボルで構成されている。サブフレーム設定によって先頭の１乃至３個のＯＦＤＭシンボルは、制御領域として用いられ、残りの１３〜１１個のＯＦＤＭシンボルは、データ領域として用いられる。同図で、Ｒ１乃至Ｒ４は、アンテナ０乃至３に対する基準信号（Reference Signal（ＲＳ）又はPilot Signal）を表す。ＲＳは、制御領域及びデータ領域を問わず、サブフレーム内に一定のパターンで固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００７０】
ＰＣＦＩＣＨは、物理制御フォーマット指示子チャネルで、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４個のＲＥＧ（Resource Element Group）で構成され、それぞれのＲＥＧは、セルＩＤ（Cell IDentity）に基づいて制御領域内に分散される。一つのＲＥＧは、４個のＲＥ（Resource Element）で構成される。ＲＥは、１つの副搬送波×１つのＯＦＤＭシンボルとして定義される最小物理リソースを表す。ＰＣＦＩＣＨ値は、帯域幅によって１〜３又は２〜４の値を指示し、ＱＰＳＫ（Quadrature Phase Shift Keying）で変調される。
【００７１】
ＰＨＩＣＨは、物理ＨＡＲＱ（Hybrid-Automatic Repeat and reQuest）指示子チャネルで、上りリンク送信に対するＨＡＲＱ  ＡＣＫ／ＮＡＣＫを運ぶために用いられる。すなわち、ＰＨＩＣＨは、ＵＬ  ＨＡＲＱのためのＤＬ  ＡＣＫ／ＮＡＣＫ情報が送信されるチャネルを表す。ＰＨＩＣＨは、１個のＲＥＧで構成され、セル固有（cell-specific）にスクランブル（scrambling）される。ＡＣＫ／ＮＡＣＫは、１ビットで指示され、ＢＰＳＫ（Binary Phase Shift Keying）で変調される。変調されたＡＣＫ／ＮＡＣＫは、拡散率（Spreading Factor；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシチ利得を得るために３回反復（repetition）される。
【００７２】
ＰＤＣＣＨは、物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは、一つ又は複数のＣＣＥで構成される。ＰＤＣＣＨは、トランスポートチャネルであるＰＣＨ（Paging CHannel）及びＤＬ−ＳＣＨ（DownLink-Shared CHannel）のリソース割り当てに関する情報、上りリンクスケジューリンググラント（Uplink Scheduling Grant）、ＨＡＲＱ情報などを各端末又は端末グループに知らせる。ＰＣＨ（Paging CHannel）及びＤＬ−ＳＣＨ（DownLink-Shared CHannel）は、ＰＤＳＣＨを通じて送信される。したがって、基地局及び端末は、一般に、特定の制御情報又は特定のサービスデータ以外は、ＰＤＳＣＨを通じてデータをそれぞれ送信及び受信する。
【００７３】
ＰＤＳＣＨのデータがいずれの端末（一つ又は複数の端末）に送信されるか、これらの端末がどのようにＰＤＳＣＨデータを受信してデコードしなければならないか、に関する情報などは、ＰＤＣＣＨに含まれて送信される。例えば、特定ＰＤＣＣＨが「Ａ」というＲＮＴＩ（Radio Network Temporary Identity）でＣＲＣマスクされており、「Ｂ」という無線リソース（例えば、周波数位置）及び「Ｃ」というＤＣＩフォーマット、すなわち、トランスポートフォーマット（transport format）情報（例えば、トランスポートブロック（transport block）サイズ、変調方式、コーディング情報など）を用いて送信されるデータに関する情報が、特定サブフレームで送信されると仮定する。この場合、セル内の端末は、自体が持っているＲＮＴＩ情報を用いてサーチスペース（search space）でＰＤＣＣＨをモニタリング、すなわち、ブラインドデコードし、「Ａ」のＲＮＴＩを持っている一つ又は複数の端末があると、これらの端末は、ＰＤＣＣＨを受信し、受信したＰＤＣＣＨの情報に基づいて「Ｂ」及び「Ｃ」によって指示されるＰＤＳＣＨを受信する。
【００７４】
図７は、ＬＴＥシステムで用いられる上りリンクサブフレームの構造を示す図である。
【００７５】
図７を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域と、に区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Channel Quality Indicator）、ＭＩＭＯのためのＲＩ（Rank Indicator）、上りリンクリソース割り当て要求であるＳＲ（Scheduling Request）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックは、スロット境界で周波数ホッピング（frequency hopping）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００７６】
以下、チャネル状態情報（Channel State Information、ＣＳＩ）報告について説明する。現在、ＬＴＥ標準では、チャネル状態情報なしで運用される開ループ（open-loop）ＭＩＭＯとチャネル状態情報に基づいて運用される閉ループ（closed-loop）ＭＩＭＯとの２つの送信方式がある。特に、閉ループＭＩＭＯでは、ＭＩＭＯアンテナの多重化利得を得るために、基地局及び端末が、各々、チャネル状態情報に基づいてビームフォーミングを行う。基地局は、チャネル状態情報を端末から得るために、端末にＰＵＣＣＨ（Physical Uplink Control CHannel）又はＰＵＳＣＨ（Physical Uplink Shared CHannel）を割り当てて、下りリンク信号に対するチャネル状態情報（ＣＳＩ）をフィードバックするように命じる。
【００７７】
ＣＳＩは、大きく、ＲＩ（Rank Indicator）、ＰＭＩ（Precoding Matrix index）、ＣＱＩ（Channel Quality Indication）の３つの情報に分類される。まず、ＲＩは、上述したように、チャネルのランク情報を示し、端末が同じ周波数−時間リソースにより受信可能なストリーム数を意味する。また、ＲＩは、チャネルの長期間フェージング（long term fading）により決定されるので、通常、ＰＭＩ、ＣＱＩ値よりも長い周期で基地局にフィードバックされる。
【００７８】
また、ＰＭＩは、チャネルの区間特性を反映した値であり、ＳＩＮＲなどのメトリック（metric）を基準として、端末が選好する基地局のプリコーディング行列インデックスを示す。最後に、ＣＱＩは、チャネルの強度を示す値であり、通常基地局がＰＭＩを用いたときに得られる受信ＳＩＮＲを意味する。
【００７９】
３ＧＰＰ  ＬＴＥ−Ａシステムにおいて、基地局は、複数の（a plurality of）ＣＳＩプロセスをＵＥに設定し、各ＣＳＩプロセスに対するＣＳＩが報告される。ここで、ＣＳＩプロセスは、基地局からの信号の品質特定のためのＣＳＩ−ＲＳリソースと、干渉測定のためのＣＳＩ−ＩＭ（Interference Measurement）リソース、即ち、ＩＭＲ（Interference Measurement Resource）と、で構成される。
【００８０】
ミリ波（millimeter Wave、mmW）では、波長が短いので、同一面積に多数のアンテナ要素の設置が可能である。具体的には、３０ＧＨｚ帯域において波長は１ｃｍであるので、４＊４ｃｍのパネルに０．５ｌａｍｂｄａ（波長）間隔で２Ｄ（2-Dimension）配列する場合、合計６４（８＊８）のアンテナ要素を設けることができる。これにより、ミリ波（mmW）では、多数のアンテナ要素を使用してビームフォーミング（beamforming、ＢＦ）利得を上げてカバレッジを増加させるか、又はスループット（throughput）を向上させることができる。
【００８１】
この場合、アンテナ要素ごとに伝送（送信）電力（transmission power）及び位相の調節ができるようにＴＸＲＵ（Transceiver）を含むと、周波数リソースごとに独立したビームフォーミングを行うことができる。しかしながら、１００余個の全てのアンテナ要素にＴＸＲＵを設けることは、コスト面で実効性が乏しい。したがって、１つのＴＸＲＵに複数の（a plurality of）アンテナ要素をマッピングし、アナログ位相シフタ（analog phase shifter）でビーム方向を調節する方式が考えられる。かかるアナログビームフォーミング方式では、全帯域において１つのビーム方向のみが形成されるので、周波数選択的なビームフォーミングが難しいという短所がある。
【００８２】
デジタルビームフォーミング及びアナログビームフォーミングの中間形態として、Ｑ個のアンテナ要素より少ない数のＢ個のＴＸＲＵを有するハイブリッドビームフォーミング（hybrid BF）が考えられる。この場合、Ｂ個のＴＸＲＵとＱ個のアンテナ要素との接続（connection）方式によって差はあるが、同時に伝送可能なビームの方向は、Ｂ個以下に制限される。
【００８３】
図８は、ＴＸＲＵとアンテナ要素との接続方式の一例を示す。
【００８４】
図８の（ａ）は、ＴＸＲＵがサブアレイ（sub-array）に接続された方式を示す。この場合、アンテナ要素は、１つのＴＸＲＵのみに接続される。一方、図８の（ｂ）は、ＴＸＲＵが全てのアンテナ要素に接続される方式を示す。この場合、アンテナ要素は、全てのＴＸＲＵに接続される。図８において、Ｗは、アナログ位相シフタ（analog phase shifter）により乗じられる位相ベクトルを示す。即ち、Ｗによってアナログビームフォーミングの方向が決定される。ここで、ＣＳＩ−ＲＳアンテナポートと複数のＴＸＲＵとのマッピングは、１：１又は１：多である。
【００８５】
より多くの通信機器がより大きな通信容量を要求することにより、既存のＲＡＴ（Radio Access Technology）に比べて向上したモバイルブロードバンド通信の必要性が高まっている。また、複数の機器及びモノ（things）を接続していつでもどこでも多様なサービスを提供する大規模（massive）ＭＴＣ（Machine Type Communications）が次世代通信において考えられている。さらに、信頼性及び遅延などにセンシティブな（susceptible）サービス／ＵＥを考慮した通信システムのデザインも考えられている。これらを考慮した次世代ＲＡＴの導入が論議されており、本発明では、便宜上、Ｎｅｗ  ＲＡＴ（以下、ＮＲ）という。
【００８６】
ＴＤＤシステムにおいて、データ送信遅延を最小にするために、第五世代ＮＲでは、図９のようなセルフサブフレームの構造（Self-Contained subframe structure）を考慮している。図９は、セルフサブフレームの構造の一例である。
【００８７】
図９において、斜線領域は、下りリンク制御領域を示し、黒い部分は、上りリンク制御領域を示す。表示のない領域は、下りリンクデータ送信又は上りリンクデータ送信のために使用されることができる。かかる構造の特徴は、１つのサブフレーム内で下りリンク送信と上りリンク送信とが順に行われて、サブフレーム内で下りリンクデータを送り、上りリンクＡＣＫ／ＮＡＣＫも受けることができる。結果として、データ送信のエラー発生時にデータの再送信までにかかる時間を減らすことができ、これにより最終データの伝達遅延を最小にすることができる。
【００８８】
かかるセルフサブフレーム構造において、基地局及びＵＥが送信モードから受信モードへ転換する（switching）過程又は受信モードから送信モードへ転換する過程のための時間ギャップ（time gap）が必要である。このために、セルフサブフレーム構造において、下りリンクから上りリンクに転換される時点の一部のＯＦＤＭシンボル（OFDM Symbols；ＯＳ）がＧＰ（Guard Period）として設定される。
【００８９】
ＮＲに基づいて動作するシステムにおいて、構成／設定可能なセルフサブフレームのタイプの一例として、少なくとも以下の４つのサブフレームタイプが考えられる。
【００９０】
−下りリンク制御区間＋下りリンクデータ区間＋ＧＰ＋上りリンク制御区間
【００９１】
−下りリンク制御区間＋下りリンクデータ区間
【００９２】
−下りリンク制御区間＋ＧＰ＋上りリンクデータ区間＋上りリンク制御区間
【００９３】
−下りリンク制御区間＋ＧＰ＋上りリンクデータ区間
【００９４】
なお、ＮＲシステムにおいて、下りリンク同期信号は、時間同期獲得、ＰＣＩ（Physical Cell Identity）及びＲＲＭ（radio Resource Management）測定のために使用される。特に、ＮＲ−ＰＳＳは、下りリンク信号の開始点を探し、概略の周波数同期を探すために利用され、ＮＲ−ＳＳＳは、サブフレームの境界、ＰＣＩ及びＲＲＭの測定のために利用される。
【００９５】
また、ＮＲ−ＰＳＳ及びＮＲ−ＳＳＳは、ＣＰ−ＯＦＤＭ（OFDM with Cyclic Prefix）ベースとして生成され、各々、１つのＯＦＤＭシンボルで構成されるが、各信号の副搬送波間隔（Subcarrier Spacing）及びＣＰを含むニューマロロジ（Numerology）は同一であると仮定する。また、２つの信号は、時間分割多重化（Time Division Multiplexing； ＴＤＭ）され、同じ送信帯域幅を使用できる。
【００９６】
なお、ＮｅｗＲＡＴでは、ＮＲ−ＰＳＳ及びＮＲ−ＳＳＳを含む同期信号が７００ＭＨｚ帯域から１００ＧＨｚ帯域まで使用できるように設計される。このとき、周波数帯域によって、経路損失（pathloss）、遅延拡散（Delay spread）などの周波数特性が異なるので、使用可能な（available）周波数帯域幅に差があり、ＮＲ−ＰＳＳ／ＳＳＳを１つのニューマロロジ及び１つの帯域幅で構成すると、同期信号により得られる時間同期獲得及びＰＣＩ検出性能を保証する（guarantee）ことが難しい。
【００９７】
これを解決するために、各周波数帯域によってＮＲ−ＰＳＳ／ＳＳＳのためのニューマロロジ及び送信帯域幅に差をつける方法が考えられる。例えば、３ＧＨｚ帯域以下では、１５ｋＨｚ副搬送波間隔を使用して２．１６ＭＨｚの帯域幅を有するようにし、６ＧＨｚ帯域以下では、３０ｋＨｚの副搬送波間隔を使用して４.３２ＭＨｚの帯域幅を有するようにする。また、６ＧＨｚ以上帯域では、１２０ｋＨｚ副搬送波間隔を使用して１７．２８ＭＨｚの帯域幅を有するようにする。なお、６ＧＨｚ以上の帯域では、２４０ｋＨｚ副搬送波間隔を使用しながら、３４．５６ＭＨｚの送信帯域幅を有するようにすることもできる。
【００９８】
上述したように、ＮＲ−ＰＳＳ／ＳＳＳは、副搬送波の増分に比例して広くなった送信帯域幅を使用できるが、かかる場合、ＮＲ−ＰＳＳ／ＳＳＳシーケンスを各送信帯域で共通に使用できるという長所がある。
【００９９】
ＮＲシステムにおいて、ＮＲ−ＰＳＳは、シンボルの位置を表現するときに使用され、ＮＲ−ＳＳＳは、セルＩＤを示すために使用される。例えば、各セルを示す（indicate）ために１０００個程度のＩＤが必要であれば、ＮＲ−ＳＳＳは、１０００個のセルＩＤを表現できるように構成する必要がある。
【０１００】
しかしながら、上述したように、１４４個の副搬送波（２．１６ＭＨｚ／１５ｋＨｚ＝１４４）を使用して、これより多い数である１０００個以上のＩＤを表現するためには、ＮＲ−ＳＳＳの特別な構成方法が求められる。
【０１０１】
また、端末は、ＮＲ−ＰＳＳによってＯＦＤＭシンボルの開始点を探した後、サブフレーム番号又はＯＦＤＭシンボル番号などの情報を把握する必要があるが、このような情報をＮＲ−ＳＳＳに含ませて端末に指示することができる。このように、ＮＲ−ＳＳＳが、ＰＣＩだけではなくサブフレーム又はＯＦＤＭシンボル番号を指示する用途に使用される場合、ＮＲ−ＳＳＳのシーケンス構成、シーケンス配置の組み合わせなどでこれを表現できる。
【０１０２】
また、ＮＲ−ＳＳＳは、単一のアンテナポート又は２つのアンテナポート（two antenna port）を介して送信される。ＮＲ−ＳＳＳは、基本的には非同期検出（Non-coherent detection）方式で検出されるので、使用されるアンテナポート数が増加すると、検出性能が劣化する可能性がある。したがって、送信アンテナポート数を増やすためには、検出性能の劣化が激しくない方法が求められる。
【０１０３】
以下、本発明では、上述した要求を満たすためのＰＳＳ及びＳＳＳシーケンスの構成方法、並びに複数のアンテナポート送信のためのシーケンスとアンテナポートとの間のマッピング方法などを提案する。
【０１０４】
＜ＮＲ−ＰＳＳシーケンス設計＞
【０１０５】
ＮＲシステムにおいて、合計３つのＰＳＳシーケンスを定義できる。ここで、時間周波数領域上のオフセットが固定され、周波数領域上でＢＰＳＫ方式のＭシーケンスが存在するとしたとき、ＰＳＳシーケンスを算出するための式、ｇ（ｘ）＝ｘ7＋ｘ4＋１から、１４５個の１０進数が得られる。
【０１０６】
また、ＮＲシステムでは、３つのＰＳＳシーケンスを得るために、周波数領域で３つの巡回シフトを使用でき、巡回シフト値は、０、４３及び８６であることができる。また、ＰＳＳシーケンスを算出するための７つの初期状態値は、［１１１０１１０］のように表現され、１２７のシーケンスの長さを有する。
【０１０７】
このとき、シーケンスは、複数のリソース要素（Resource Element；ＲＥ）にマッピングされるが、図１０に、シーケンスが複数のリソース要素にマッピングされる実施例を示している。また、同期信号（ＮＲ−ＳＳ）のための帯域幅は、副搬送波間隔によって以下のように定義できる。
【０１０８】
−副搬送波間隔が１５ｋＨｚである場合、ＮＲ−ＳＳ帯域幅は、２.１６ＭＨｚであることができる。
【０１０９】
−副搬送波間隔が３０ｋＨｚである場合、ＮＲ−ＳＳ帯域幅は、４.３２ＭＨｚであることができる。
【０１１０】
−副搬送波間隔が１２０ｋＨｚである場合、ＮＲ−ＳＳ帯域幅は、１７.２８ＭＨｚであることができる。
【０１１１】
−副搬送波間隔が２４０ｋＨｚである場合、ＮＲ−ＳＳ帯域幅は、３４.５６ＭＨｚであることができる。
【０１１２】
＜同期信号（ＮＲ−ＳＳ）ブロックの構成＞
【０１１３】
（１）同期信号ブロックにおけるＮＲ−ＰＳＳ、ＮＲ−ＳＳＳ及びＮＲ−ＰＢＣＨの時間領域における構成
【０１１４】
ＮＲ−ＰＢＣＨ、ＮＲ−ＰＳＳ及びＮＲ−ＳＳＳが送信されるＯＦＤＭシンボルのセットを同期信号ブロック（SS block）という。図１１から分かるように、ＮＲ−ＰＢＣＨ、ＮＲ−ＰＳＳ及びＮＲ−ＳＳＳは、連続するＯＦＤＭシンボルを使用して送信される。図１１を参照すると、ＮＲ−ＰＳＳ及びＮＲ−ＳＳＳは、各々、１つのＯＦＤＭシンボルにマッピングされ、ＮＲ−ＰＢＣＨは、Ｎ個のＯＦＤＭシンボルにマッピングされる。ここで、Ｎは２である。同期信号ブロック内でＮＲ−ＰＢＣＨ、ＮＲ−ＰＳＳ及びＮＲ−ＳＳＳを送信するＯＦＤＭシンボルの順序は、少なくともＮＲ−ＰＳＳがＮＲ−ＳＳＳより先に送信され、ＮＲ−ＰＢＣＨのためのＯＦＤＭシンボルの位置によって様々に変更できる。
【０１１５】
（２）２４個のリソースブロック（Resource Block；ＲＢ）及び４個のＯＦＤＭシンボルを利用した同期信号ブロックのリソースマッピング
【０１１６】
ＮＲ−ＰＢＣＨ送信のために、１つのＯＦＤＭシンボル当たり２８８個のリソース要素が使用され、ＮＲ−ＰＳＳ及びＮＲ−ＳＳＳ送信のためには、約１４４個のリソース要素が使用される。ここで、ＮＲ−ＰＳＳ及びＮＲ−ＳＳＳシーケンスの長さは１２７であり、シーケンスに含まれる１つのシーケンス要素は、１つのリソース要素にマッピングされるので、合計１２７個のリソース要素が必要である。したがって、１２個のリソースブロックが割り当てられ、１２個のリソースブロックにおける１４４個のリソース要素のうち、１７個のリソース要素は、予約された（reserved）リソース要素と定義することができる。
【０１１７】
また、図１２に示したように、ＮＲ−ＰＢＣＨを送信するための帯域幅がＮＲ−ＰＳＳ又はＮＲ−ＳＳＳの送信のための帯域幅より約２倍広いので、ＮＲ−ＰＢＣＨ送信のための帯域幅の中心とＮＲ−ＰＳＳ及びＮＲ−ＳＳＳ送信のための帯域幅の中心とを一致させる。
【０１１８】
＜ＮＲ−ＳＳＳシーケンス設計＞
【０１１９】
ＮＲシステムで定義したＮＲ−ＳＳＳシーケンスは、長さ１２７の２つのＭシーケンス（M-sequences）に基づき、各Ｍシーケンスに含まれた要素の積で最終的なＮＲ−ＳＳＳシーケンスを生成する。
【０１２０】
即ち、ＮＲ−ＳＳＳシーケンスは、ＮＲ−ＰＳＳにより与えられたスクランブルシーケンスであり、その長さは１２７であり、以下の数式１により決定される。ここで、各インデックスｎは、ｎ＝０，…，１２６のうちの１つであり、ＮＲ−ＳＳＳシーケンスの要素であるｄ（ｎ）は、ｄ（ｎ）＝＋１又はｄ（ｎ）＝−１の値を有する。
【０１２１】
＜数式１＞
［数１］
ｄ（ｎ）＝ｓ1,m（ｎ）ｓ2,k（ｎ）  ｆｏｒ  ｎ＝０，．．，１２６
【０１２２】
このとき、ｓ1,m（ｎ）及びｓ2,k（ｎ）の各々の値が＋１であるか、又は−１であるかは、以下の数式２による２つのＭシーケンスのＣＳ（Cyclic Shift）であるＳ1（ｎ）及びＳ2（ｎ）によって決定される。
【０１２３】
＜数式２＞
【数２】
0006750131.tif 000002
【０１２４】
０又は１の値で表現されるＭシーケンスは、ｘ0（ｎ）及びｘ1（ｎ）と定義され、これは、各々、シーケンスＳ1（ｎ）及びＳ2（ｎ）にマッチングされる。即ち、Ｓ1（ｎ）＝１−２ｘ0（ｎ）、Ｓ2（ｎ）＝１−２ｘ1（ｎ）と定義できる。これにより、数式１を第１シフトインデックスｍ0及び第２シフトインデックスｍ1を用いて数式３に表現すると、以下の通りである。
【０１２５】
＜数式３＞
［数３］
ｄ（ｎ）＝［１−２ｘ0（（ｎ＋ｍ0）  ｍｏｄ  １２７）］［１−２ｘ1（（ｎ＋ｍ1）  ｍｏｄ  １２７）］  ｆｏｒ  ｎ＝０，．．，１２６
【０１２６】
このとき、１０００個のＣｅｌｌ−ＩＤを表現するために、第１シフトインデックスｍ0として可能な９つの値を１番目のＭシーケンスｘ0（ｎ）（又はＳ1（ｎ））に適用して９つのシフトされたシーケンスを生成し、第２シフトインデックスｍ1として可能な１１２個の値を２番目のＭシーケンスｘ1（ｎ）（又はＳ2（ｎ））に適用して１１２個のシフトされたシーケンスを生成する。また、９つのシフトされたシーケンスのうちの１つのｓ1,m0（ｎ）と１１２個のシフトされたシーケンスのうちの１つのｓ1,m0（ｎ）に対応するｓ2,m1（ｎ）とを乗じて、合計１００８個の生成可能なシーケンスのうちの１つのＮＲ−ＳＳＳシーケンスを生成する。
【０１２７】
このとき、１番目のＭシーケンスｘ0（ｎ）は、ｇ0（ｘ）＝ｘ7＋ｘ4＋１（即ち、ｘ0（ｊ＋７）＝（ｘ0（ｊ＋４）＋ｘ0（ｊ）  ｍｏｄ  ２）と定義された多項式を用いて生成される。また、２番目のＭシーケンスｘ1（ｎ）は、ｇ1（ｘ）＝ｘ7＋ｘ＋１（即ち、ｘ1（ｊ＋７）＝（ｘ1（ｊ＋１）＋ｘ1（ｊ））  ｍｏｄ  ２）と定義された多項式を用いて生成される。また、各Ｍシーケンスを算出するための初期状態値は、［００００００１］と定義できる（即ち、ｘ0（０）＝ｘ1（０）＝ｘ0（１）＝ｘ1（１）＝ｘ0（２）＝ｘ1（２）＝ｘ0（３）＝ｘ1（３）＝ｘ0（４）＝ｘ1（４）＝ｘ0（５）＝ｘ1（５）＝０及びｘ0（６）＝ｘ1（６）＝１）
【０１２８】
なお、以前に（previously）提案されたＳＳＳシーケンスについて説明すると、１番目のＭシーケンスは、以下の数式４のｍ0に基づいて生成され、２番目のＭシーケンスは、以下の数式４のｍ1に基づいて生成される。ここで、ＮID(1)は、セルＩＤの一部を示すためにＮＲ−ＳＳＳシーケンスから得られる値であって、０〜３３５の整数値を有し、ＮID(2)は、セルＩＤの一部を示すためにＮＲ−ＰＳＳシーケンスから得られる値であって、０〜２の整数値を有する。即ち、セルＩＤの値であるＮIDcellは、ＮIDcell＝３ＮID(1)＋ＮID(2)の式により求められる。
【０１２９】
＜数式４＞
【数４】
0006750131.tif 000003
【０１３０】
即ち、提案されたＳＳＳシーケンスのインデックスについて説明すると、１番目のＭシーケンスであるｍ0は、[０〜８]であり、２番目のＭシーケンスであるｍ1はｍ0に依存して［１〜１１２］、［２〜１１３］、［３〜１１４］、［４〜１１５］、［５〜１１６］、［６〜１１７］、［７〜１１８］、［８〜１１９］、［９〜１２０］のインデックスを有する。
【０１３１】
よって、２種類のＭシーケンスは、いずれもｍ０及びｍ１によって１サンプル単位の巡回シフトが適用される。しかしながら、初期アクセス段階では、ＰＳＳにより周波数オフセットをある程度補償しても、残りの周波数オフセット値が副搬送波間隔の５０％以上である場合のように、残りの周波数オフセットが非常に大きくなって発生すると、周波数領域で各リソース要素にマッピングされたシーケンスが隣接するリソース要素に移動したような効果を有する。即ち、ＳＳＳシーケンスは、周波数領域上で複数のリソース要素にマッピングされ、ＯＦＤＭ変調過程を経て端末に送信されるが、無線チャネルを経て端末で受信したＳＳＳ信号は、周波数オフセットによって隣接リソース要素にシフトされる現象が発生する。また、端末は、このような状況を認識（recognizing）できなかった状態で、受信したＳＳＳ信号からＣｅｌｌ−ＩＤ検出を試みる。よって、端末が本来検出されるべきＣｅｌｌ−ＩＤとは異なるＣｅｌｌ−ＩＤを検出する可能性が高くなる。
【０１３２】
したがって、本発明では、周波数オフセットに対してロバストな（robust）ＮＲ−ＳＳＳシーケンスの設計方法を提案する。このとき、ＮＲ−ＳＳＳシーケンスは、ＢＰＳＫ変調されて周波数軸にマッピングされ、１つのＯＦＤＭシンボルで送信されると仮定する。
【０１３３】
本発明の実施例によれば、上記２つのＭシーケンスを結合した結果により（by combining the two M-sequences with each other）ＳＳＳシーケンスを構成するとき、上記２つのＭシーケンスのうちの少なくとも１つは、Ｋ単位ずつシフトしてＳＳＳシーケンスセットを構成する。このとき、Ｋは、１より大きい整数値で定義できる。以下、上述した実施例による具体的な方法（method）について説明する。
【０１３４】
１．実施例１
【０１３５】
実施例１によれば、各シーケンスに互いに異なる単位のシフト値を適用してシーケンスセットを構成できる。例えば、シーケンスの長さの１／２より多い数のシーケンスを生成する場合、１サンプル単位ずつシフトを適用する。反面、シーケンスの長さの１／２より少ない数のシーケンスを生成する場合は、１サンプルより大きい整数値の単位ずつシフトを適用する。
【０１３６】
具体的には、ＮＲ−ＳＳＳのように長さＮ＝１２７のＭシーケンスを使用してＭ＝１１２個程度のシーケンスを生成する場合、１サンプル単位のシフトを適用する。また、長さＮのＭシーケンスを使用して（Ｑ＜Ｎ／２）個程度のシーケンスを生成する場合には、最小２サンプル単位のシフトを適用する。Ｍシーケンスのシフトインデックスをｍ0及びｍ1としたとき、長さＮのＭシーケンスを使用してＮ／２より小さい数のシーケンスを生成する場合、シフトインデックスは、Ｋ個のサンプル単位で（in a unit of K samples）増加するインデックスを有するように定義し、Ｎ／２より大きい数のシーケンスを生成する場合は、シフトインデックスは、１サンプル単位で増加するインデックスを有するように定義する。以下の数式５は、このような方式でシフトインデックスを生成する式を示す。
【０１３７】
＜数式５＞
【数５】
0006750131.tif 000004
【０１３８】
数式５を参照すると、従来のシフトインデックスｍ0を生成する式において、Ｋ倍ほどスケーリングしたことが分かる。これは、ＮＲ−ＳＳＳの１番目のＭシーケンスを算出するための多項式であるｇ0（ｘ）とＮＲ−ＰＳＳのシーケンスを算出するための多項式であるｇ（ｘ）とが、ｇ（ｘ）＝ｇ0（ｘ）＝ｘ7＋ｘ4＋１のように共通するためである。即ち、ＮＲ−ＳＳＳに用いられる巡回シフトインデックスのうち、ＮＲ−ＰＳＳのシーケンスのための多項式と重複する多項式であるｇ0（ｘ）に関連付けられる巡回シフトインデックスである、ｍ0にスケーリングを行うことである。上述したｍ0のスケーリングにより、同期信号に対する検出性能を向上させることができる。
【０１３９】
ここで、Ｋの最小値は２であり、最大値はｆｌｏｏｒ（Ｎ／Ｑ）になる。例えば、Ｎ＝１２７の長さをＱ＝９等分すると、シフト可能な最大の間隔値になり、このとき、Ｋ＝ｆｌｏｏｒ（１２７／９）＝１４になって、シフトインデックスｍ0は、１４サンプル単位で増加するインデックスを有することになる。
【０１４０】
ＮＲシステムにおいて１０００個のＣｅｌｌ−ＩＤと共に、ハーフフレーム境界を示すためにより多いシーケンスを生成する場合、Ｋの最大値は、上述した値より小さい値、例えば、Ｋ＝ｆｌｏｏｒ（１２７／１８）＝７と定義できる。ここで、Ｌ個の同期信号ブロック（SS Block）が送信される時間セット（a set of time）を同期信号バーストセット（SS burst set）と定義するが、Ｌ個の同期信号ブロック（SS block）が５ｍｓ内で送信されるように同期信号バーストセットを構成する。また、同期信号バーストセットは、最小５ｍｓ周期で送信される。
【０１４１】
同期信号バーストセットは、５ｍｓ周期で送信されると、１０ｍｓの長さのフレーム内で前半部５ｍｓ及び後半部５ｍｓに少なくとも１つの同期信号ブロックを含んで送信される。これをハーフフレーム境界（Half frame boundary）といい、同期信号バーストセットが送信される時間、即ち、前半部５ｍｓと後半部５ｍｓとに互いに異なるシーケンスを使用して送信することにより、端末がハーフフレームの境界を検出できるようにする。
【０１４２】
即ち、レガシシステムにおいて（in a legacy system）、Ｃｅｌｌ−ＩＤの表現のためにＸ個のシーケンスを生成したとすると、ＮＲシステムでは、２倍多い２Ｘ個のシーケンスが要求される。したがって、一方のＭシーケンスでＭ個のシーケンスを形成する場合、他方のＭシーケンスでは、２Ｑ個のシーケンスを形成して２Ｘ個のシーケンスを最終的に生成しなければならない。
【０１４３】
なお、上記の式において、ｍ1がｍ0ほどのオフセットを有する関係式では、ｍ1の値がシーケンスの最大の長さ（例えば、Ｎ＝１２７）を超えることもできるが、この場合、以下の数式６のようにモジュロ（modular（modulo））演算によってｍ1のインデックスがシーケンスの最大の長さを超えないように設定できる。
【０１４４】
＜数式６＞
【数６】
0006750131.tif 000005
【０１４５】
反面、ｍ1は、以下の数式７のように、ｍ0とは関係なく設定されることができる。
【０１４６】
＜数式７＞
【数７】
0006750131.tif 000006
【０１４７】
この場合、残りの周波数オフセット（Residual Frequency offset）が副搬送波間隔の＋／−１以上の整数値を有する場合、Ｋは、３より大きい値に設定されることが好ましく、例えば、Ｋは、４又は５である。
【０１４８】
２．実施例２
【０１４９】
実施例２では、２つのＭシーケンスを結合した結果、得られたシーケンスは、Ｋ単位ずつシフトしてシーケンスセットを構成できる。このとき、Ｋは、１より大きい整数である。
【０１５０】
即ち、Ｍシーケンスに適用されるシフトインデックス値を生成するとき、インデックスは、Ｋ個のサンプル単位で増加する。また、各Ｍシーケンスに適用されるシフトインデックスには、互いに異なるオフセット値が適用される。以下の数式８は、このような方法で構成したシフトインデックスを生成する例を示す。
【０１５１】
＜数式８＞
【数８】
0006750131.tif 000007
【０１５２】
上記数式８のように、ｍ1がｍ0だけのオフセットを有する関係式では、ｍ1の値がシーケンスの最大の長さ（例えば、Ｎ＝１２７）を超えることもできるが、この場合、以下の数式９のように、モジュロ（modular）演算を適用してｍ1のインデックスがシーケンスの最大の長さを超えないように設定できる。
【０１５３】
＜数式９＞
【数９】
0006750131.tif 000008
【０１５４】
一方、以下の数式１０又は数式１１のように、ｍ1はｍ0とは関係なく設定されることができる。
【０１５５】
＜数式１０＞
【数１０】
0006750131.tif 000009
【０１５６】
＜数式１１＞
【数１１】
0006750131.tif 000010
【０１５７】
図１３は、数式１、数式２又は数式３によってＳＳＳバンドリングを行う方法を例示する図である。図１３は、数式７を使用するとき、ＮID(1)＝ＮID(2)＝１に対応してｍ0＝５及びｍ1＝１である場合のシフトインデックスｍ0及びｍ1を適用する方法に関する。即ち、一意のシーケンスｄ（ｎ）又はｄSSS（ｎ）が取得され、受信ＵＥによって認識されることによって、対応するシフトインデックスｍ0及びｍ1を見つけてセル識別子であるＮID(1)及びＮID(2)を導出することができる（A unique sequence d(n), or dSSS(n), is obtained, that can be recognized by a receiving UE to find the corresponding shift indexes m0 and m1 and derive the cell identifiers NID(1) and NID(2)）。
【０１５８】
３．実施例３
【０１５９】
本発明による実施例３において、ＮＲ−ＳＳＳのためのシーケンスは、異種シーケンス（heterogeneous sequences）の各要素の積により生成される。ここで、ＮＲ−ＳＳＳを生成するための異種シーケンスとしては、ＰＮ（Pseudo-Noise）シーケンス、Ｍシーケンス、ゴールドシーケンス（Gold-sequence）、ゴーレイシーケンス（Golay-sequence）、ＺＣシーケンスなどを使用できる。
【０１６０】
また、ＮＲ−ＳＳＳのシーケンスは、Ｎ個の仮定値（hypothesis）を表現でき、ＮＲ−ＳＳＳシーケンスを構成する各シーケンスを組み合わせて仮定値を構成する。また、各シーケンスごとに適用されるシード値（seed value）、ルートインデックス、巡回シフトなどを組み合わせて仮定値を構成することもできる。仮定値は、Ｃｅｌｌ−ＩＤ、シンボルインデックス、サブフレームインデックスなどを表現するために使用される。
【０１６１】
このとき、代表的には、ＺＣシーケンスとＭシーケンスとの要素の積でＮＲ−ＳＳＳシーケンスを構成する。ＺＣシーケンスのルートインデックス及び／又は巡回シフト、Ｍシーケンスのシード値及び／又は巡回シフトなどを組み合わせてＮ個の仮定値を構成する。
【０１６２】
以下、上記の内容に基づいて、異種シーケンスを用いてＮＲ−ＳＳＳシーケンスを構成する具体的な方法について説明する。
【０１６３】
（１）ＺＣシーケンスは、１つのルートインデックスを使用して複数の巡回シフトを適用する。また、Ｍシーケンスは、１つのシード値を使用して複数の巡回シフトを適用する。これに関する具体的な例は、以下の通りである。
【０１６４】
ＮＲ−ＳＳＳは、隣接帯域信号との干渉を最小にするために使用しないＮｕｌｌリソース要素（Null RE）を定義する。即ち、予約された（reserved）リソース要素を定義することである。また、ＮＲ−ＳＳＳ送信のために定義された送信帯域幅でＮｕｌｌリソース要素を除いたリソース要素にシーケンスをマッピングし、シーケンスの長さは、素数（prime number）で構成される。
【０１６５】
即ち、ＮＲ−ＳＳＳを構成するとき、１４４個のリソース要素を使用する場合、シーケンスの長さは、１４４より小さい数のうち、素数に該当する数になる。１４４個のリソース要素のうち、１７個のリソース要素がＮｕｌｌリソース要素（即ち、予約されたリソース要素）として使用される場合、１２７個のリソース要素に１２７の長さのシーケンスをマッピングすることができる。
【０１６６】
なお、実施例３（１）では、ＺＣシーケンスにＭシーケンスをカバーシーケンス（cover sequence）として使用してＮＲ−ＳＳＳシーケンスを構成するとき、各々のシーケンスに巡回シフトを適用する。例えば、ＺＣシーケンスは、１サンプル単位の巡回シフトを適用して１２７種類のシーケンスを形成し、Ｍシーケンスは、１５又は１６サンプル単位のサイクルシフトを適用して８種類のシーケンスを形成する。このように生成されたシーケンスの組み合わせにより合計１０１６（＝１２７ｘ８）個の仮定値を得ることができる。このように生成されたシーケンスは、ＯＦＤＭシンボルの周波数要素にマッピングできる。
【０１６７】
上述した実施例３（１）によるシーケンス生成方法について具体的に説明すると、ＮＲ−ＳＳＳのためのシーケンスｄ（０）、…、ｄ（１２６）は、ＺＣシーケンスにＭシーケンスをカバーシーケンスとして使用して構成できる。即ち、ＮＲ−ＳＳＳシーケンスは、以下の数式１２のように、ＺＣシーケンスとＭシーケンスとの要素の積として生成される。
【０１６８】
＜数式１２＞
【数１２】
0006750131.tif 000011
【０１６９】
このとき、上述したように、ＺＣシーケンスは、１サンプル単位の巡回シフトを適用して１２７種類のシーケンスを得、Ｍシーケンスは、１５又は１６サンプル単位の巡回シフトを適用して８種類のシーケンスを得ることができるので、合計１０１６個の仮定値が得られる。即ち、
0006750131.tif 000012
個の仮定値が算出される。
【０１７０】
また、Ｍシーケンスxm_seq（ｎ）は、ｍ次の多項式により算出されるが、例えば、Ｍシーケンスを算出するための７次多項式は、ｇ（D）＝D7＋D6＋１のように定義できる。また、Ｍシーケンスｘｍ＿ｓｅｑ（ｎ）は、ＢＰＳＫ変調により変調できる。
【０１７１】
また、上記Ｍシーケンスを巡回シフトしたシーケンスは、以下の数式１３により求められる。
【０１７２】
＜数式１３＞
［数１３］
ｘw,m_seq（ｎ）＝ｘm_seq（（ｎ−Cw）  ｍｏｄ  Nzc）、ｎ＝０、…、Nzc−１
【０１７３】
このとき、
0006750131.tif 000013
は、巡回シフトされたＭシーケンスの整数倍であり、数式１４のように求められる。
【０１７４】
＜数式１４＞
【数１４】
0006750131.tif 000014
【０１７５】
したがって、上記過程により算出されたＭシーケンスxw,m_seq（Ｎ）は、最終Ｍシーケンスの一部であることができる。
【０１７６】
以下、ＺＣシーケンスを生成する方法について説明すると、ＺＣシーケンスは、以下の数式１５により算出される。
【０１７７】
＜数式１５＞
【数１５】
0006750131.tif 000015
【０１７８】
このとき、ルートシーケンスに含まれているｕ及びＮZCは、最大公約数が１で互いに素（relative prime）であり、ｕがＮZCより小さい値を有することができる。即ち、ｕ＜ＮZCであることができる。
【０１７９】
また、上記ＺＣシーケンスを巡回シフトしたシーケンスは、以下の数式１６により求められる。
【０１８０】
＜数式１６＞
【数１６】
0006750131.tif 000016
【０１８１】
このとき、Cvは、巡回シフトされたＺＣシーケンス数の整数倍であり、数式１７のように求められる。
【０１８２】
＜数式１７＞
【数１７】
0006750131.tif 000017
【０１８３】
したがって、上記過程により算出されたＺＣシーケンスｘu,v,ZC_seq（ｎ）は、最終ＺＣシーケンスの一部であることができる。
【０１８４】
（２）実施例３（２）において、ＺＣシーケンスは、複数のルートインデックスを使用し、周波数領域巡回シフトは、適用されない。反面、Ｍシーケンスは、１つのシード値を使用し、複数の巡回シフトを適用する。２進数列（Binary sequence）であるＭシーケンスは、ＢＰＳＫ変調され、変調されたＭシーケンスとＺＣシーケンスとは、各要素ごとに（element-by-element）乗じられて最終ＮＲ−ＳＳＳシーケンスを生成する。
【０１８５】
ここで、ＮＲ−ＳＳＳシーケンスの長さによって表現可能な仮定値が決定される。例えば、ＮＲ−ＳＳＳの長さは、１２７又は２５５などに設定される。このとき、Ｍシーケンスにサンプル単位の巡回シフトを適用できる。例えば、長さ１２７のＭシーケンスの場合、１サンプル単位で巡回シフトを適用すると、１２７種類のシーケンスを生成できる。また、ＺＣシーケンスは、様々なルートインデックスを適用して様々なシーケンスを形成できる。例えば、８種類のルートインデックスを適用して８種類のシーケンスを生成できる。最終的にＭシーケンスの巡回シフトによって形成されるシーケンスとＺＣシーケンスのルートインデックスによって形成されるシーケンスとの組み合わせにより、ＮＲ−ＳＳＳを形成できる。即ち、巡回シフトによって形成される１２７種類のＭシーケンスとルートインデックスによって形成される８種類のＺＣシーケンスとの組み合わせにより、最終的に１０１６個のシーケンスが得られる。
【０１８６】
上述した実施例３（２）によるシーケンス生成方法について具体的に説明すると、ＮＲ−ＳＳＳのためのシーケンスｄ（０）、…、ｄ（１２６）は、ＺＣシーケンスにＭシーケンスをカバーシーケンスとして使用して構成できる。即ち、ＮＲ−ＳＳＳシーケンスは、以下の数式１８のように、ＺＣシーケンスとＭシーケンスとの要素の積として生成される。
【０１８７】
＜数式１８＞
【数１８】
0006750131.tif 000018
【０１８８】
このとき、上述したように、ＺＣシーケンスは、ルートインデックスによって８種類のシーケンスを形成でき、Ｍシーケンスは、１サンプル単位の巡回シフトを適用して１２７種類のシーケンスを形成できるので、合計１０１６個の仮定値が得られる。即ち、
0006750131.tif 000019
個の仮定値が算出される。
【０１８９】
また、ＮＲ−ＳＳＳにより区別できる識別子の数は、以下の数式１８により算出される。
【０１９０】
＜数式１９＞
【数１９】
0006750131.tif 000020
【０１９１】
なお、各ルートインデックスに対応するＵの値は、以下の表１の通りである。
【０１９２】
＜表１＞
【表１】
0006750131.tif 000021
【０１９３】
一方、Ｍシーケンスｓm_seq（ｎ）は、以下の数式２０により決定される。
【０１９４】
＜数式２０＞
【数２０】
0006750131.tif 000022
【０１９５】
また、ＢＰＳＫ変調されたシーケンスを巡回シフトしたシーケンスは、以下の数式２１により決定される。
【０１９６】
＜数式２１＞
【数２１】
0006750131.tif 000023
【０１９７】
また、ＺＣシーケンスは、以下の数式２２により生成される。
【０１９８】
＜数式２２＞
【数２２】
0006750131.tif 000024
【０１９９】
＜生成された同期信号シーケンスをリソース要素にマッピングする方法＞
【０２００】
シーケンスｄ（ｎ）は、以下の数式２３によりリソース要素にマッピングされることができる。
【０２０１】
＜数式２３＞
【数２３】
0006750131.tif 000025
【０２０２】
ここで、
0006750131.tif 000026
は、下りリンクリソース当たりのリソースブロック数を意味し、
0006750131.tif 000027
は、リソースブロック当たりの副搬送波の数を意味する。
【０２０３】
また、リソース要素（ｋ，ｌ）は、以下の数式２４によって、ＮＲ−ＳＳＳ送信に使用されないか、又は予約される。
【０２０４】
＜数式２４＞
【数２４】
0006750131.tif 000028
【０２０５】
＜生成された同期信号をアンテナポートにマッピングする方法＞
【０２０６】
本発明の実施例によれば、ＮＲ−ＰＳＳのためのアンテナポートと同じアンテナポートがＮＲ−ＳＳＳのために使用される。
【０２０７】
このとき、ＮＲ−ＳＳＳは、１つ又は２つのアンテナポートを介して送信される。２つのアンテナポートによってＮＲ−ＳＳＳが送信される場合、シーケンスは、各アンテナポートにマッピングされることができる。このとき、シーケンスがアンテナポートにマッピングされる方法としては、ＦＤＭ（Frequency Division Multiplexing）及びＣＤＭ（Code Division Multiplexing）を適用できる。
【０２０８】
以下、ＮＲ−ＳＳＳが２つのアンテナポートを介して送信される、具体的な実施例について説明する。
【０２０９】
１．実施例１
【０２１０】
同一のシーケンスが各アンテナポートを介して送信される場合、各送信アンテナポートを識別する（identifying）方法として、各アンテナポートにマッピングされる同一のシーケンスに互いに異なる時間領域巡回シフト（time domain cyclic shift）を適用する。例えば、１番目の送信アンテナポートには、ＮＲ−ＳＳＳシーケンスｄ（ｎ）がマッピングされ、２番目の送信アンテナポートには、ＮＲ−ＳＳＳシーケンスｄ（ｎ）に時間領域巡回シフトが適用される。ＣＰ−ＯＦＤＭでＮＲ−ＳＳＳが構成される場合、ＮＲ−ＳＳＳシーケンスｄ（ｎ）に適用される時間領域巡回シフトとしては、ＤＦＴシーケンスＤ（ｎ）を使用できる。例えば、Ｄ（ｎ）＝（−１）nになる。
【０２１１】
２．実施例２
【０２１２】
なお、ＦＤＭが適用される場合、シーケンスを構成する各要素（sub-element）は、各アンテナポートにマッピングされる。このとき、周波数は、等間隔を有する副搬送波をグループ化して使用する方式であるインターリーブタイプ（interleaved type）、又は連続するＮ個の副搬送波をグループ化して使用する方式であるクラスタタイプ（cluster type）であることができる。
【０２１３】
実施例について具体的に説明すると、Ｎ個のシーケンスを使用してＮＲ−ＳＳＳを構成し、Ｎ個のシーケンスが各々周波数要素にマッピングされる場合、各シーケンスの各要素がアンテナポートにマッピングされるようにする。例えば、２つのシーケンス（例えば、Ｓ１（ｎ）、Ｓ２（ｎ））を使用してＮＲ−ＳＳＳを構成し、各シーケンスをインターリーブ方式で多重化すると、ｄ（ｎ）＝［ｄ（０） ｄ（１） … ｄ（２Ｎ−１）］＝［Ｓ１（０） Ｓ２（０） Ｓ１（１） Ｓ２（１） … Ｓ１（N-1） Ｓ２（N-1）］のように多重化できるが、ＮＲ−ＳＳＳシーケンスｄ（ｎ）の前半部のＮ個は、１番目のアンテナポートにマッピングされ、後半部のＮ個は、２番目のアンテナポートにマッピングされることができる。即ち、以下のようにマッピングできる。
【０２１４】
−アンテナポート１：［ｄ（０）  ｄ（１）  ｄ（２）  ｄ（３）  …ｄ（Ｎ−２）  ｄ（Ｎ−１）  ０  ０  ０  ０  …  ０  ０］
【０２１５】
−アンテナポート２：［０  ０  ０  ０  …０  ０  ｄ（Ｎ）  ｄ（Ｎ＋１）  ｄ（Ｎ＋２）  ｄ（Ｎ＋３）  …  ｄ（２Ｎ−２）  ｄ（２Ｎ−１）］
【０２１６】
さらに、他の具体的な実施例について説明すると、ＮＲ−ＳＳＳシーケンスｄ（ｎ）の要素を２つのグループにグループ化して（The elements of the NR-SSS sequence d(n) are grouped by two groups）、（これらのグループを）各アンテナポートに順にマッピングできる。このとき、シーケンスｄ（ｎ）のインデックスによって順に周波数インデックスにマッピングできる。
【０２１７】
以下は、各アンテナポートの周波数要素にマッピングされるシーケンスを示し、０は、シーケンスが適用されない（not applied）ことを意味する。
【０２１８】
−アンテナポート１：［ｄ（０）  ｄ（１）  ０  ０  ｄ（４）  ｄ（５）  ０  ０  …ｄ（２Ｎ−４）  ｄ（２Ｎ−３）  ０  ０］
【０２１９】
−アンテナポート２：［０  ０  ｄ（２）  ｄ（３）  ０  ０  ｄ（６）  ｄ（７）  …  ０  ０  ｄ（２Ｎ−２）  ｄ（２Ｎ−１）］
【０２２０】
最後に、具体的な実施例によれば、ＮＲ−ＳＳＳの各シーケンスがグループ単位のインターリーブ方式で多重化されることができる。例えば、以下のように２つの要素をグループとしてインターリーブ方式で多重化できる。
【０２２１】
［ｄ（０）  ｄ（１）  …  ｄ（２Ｎ−１）］＝［Ｓ１（０）  Ｓ１（１）  Ｓ２（０）  Ｓ２（１）  …  Ｓ１（Ｎ−２）  Ｓ１（Ｎ−１）  Ｓ２（Ｎ−２）  Ｓ２（Ｎ−１）］
【０２２２】
このように多重化されたＮＲ−ＳＳＳシーケンスは、インターリーブ方式で各アンテナポートにマッピングされる。
【０２２３】
−アンテナポート１：［ｄ（０）  ０  ｄ（２）  ０  ｄ（５）  ０  ｄ（６）  ０…  ｄ（２Ｎ−２）  ０］
【０２２４】
−アンテナポート２：［０  ｄ（１）  ｄ（３）  ０  ｄ（４）  ０  ｄ（７）  …  ０  ｄ（２Ｎ−１）］
【０２２５】
本発明の実施例による端末は、基地局から同期信号（即ち、ＰＳＳ及びＳＳＳ）を受信する。これに基づいて、端末は、基地局により提供されるセルを識別するための第１、第２セル識別子であるＮID(1)、ＮID(2)を決定することができる。
【０２２６】
例えば、端末は、ＰＳＳをデコードし、ＣＳ０、４３及び８６のうちのどれが、基地局が多項式ｇ（ｘ）＝ｘ7＋ｘ4＋１を用いて生成したＭシーケンスに適用されるかを識別して、ＮID(2)の値を復元する。このとき、ＮID(2)＝０、１、２のうちの１つになるので、ＰＳＳのためのＣＳ値は、４３×ＮID(2)のように与えられる。その後、ＵＥは、ＳＳＳをデコードし、シフトインデックスｍ0及びｍ1を決定する。予めＮID(2)の値を知っており、シフトインデックスｍ0は、ｆｌｏｏｒ（ＮID(1)／Ｍ）及び（ＮID(1)  ｍｏｄ  M）により得られるので、上述した数式５〜数式１１のうちのいずれかを用いてシフトインデックスｍ1を決定することができる。ここで、Ｍ＝１１２であることができる。即ち、セル識別子ＮID(1)は，ＮID(1)＝Ｍ×ｆｌｏｏｒ（ＮID(1)／Ｍ）＋（ＮID(1)  ｍｏｄ  M）により得られる。
【０２２７】
図１４を参照すると、本発明の実施例により具現される無線通信システムは，基地局８００及び端末９００を含む。
【０２２８】
基地局８００は、プロセッサ８１０、メモリ８２０及びトランシーバ８３０を含む。プロセッサ８１０は、この明細書で提案された機能、手順及び／又は方法を具現するように構成される。無線インターフェースプロトコルの階層は、プロセッサ８１０で具現される。メモリ８２０は、プロセッサ８１０と動作可能に結合され（coupled）、プロセッサ８１０を動作させるための様々な情報を記憶する。トランシーバ８３０は、プロセッサ８１０と動作可能に結合されて無線信号を送受信する。
【０２２９】
端末９００は、プロセッサ９１０、メモリ９２０及びトランシーバ９３０を含む。プロセッサ９１０は、この明細書で提案された機能、手順及び／又は方法を具現するように構成される。無線インターフェースプロトコルの階層は、プロセッサ９１０で具現される。メモリ９２０は、プロセッサ９１０と動作可能に結合され、プロセッサ９１０を動作させるための様々な情報を記憶する。トランシーバ９３０は、プロセッサ９１０と動作可能に結合されて無線信号を送受信する。
【０２３０】
プロセッサ８１０、９１０は、特定用途集積回路（ＡＳＩＣ）、他のチップセット、論理回路及び／又はデータ処理装置を含む。メモリ８２０、９２０は、読み取り専用のメモリ（ＲＯＭ）、ランダムアクセスメモリ（ＲＡＭ）、フラッシュメモリ、メモリカード、記憶媒体及び／又は他の記憶装置を含む。トランシーバ８３０、９３０は、無線周波数信号を処理するためのベースバンド回路を含む。本発明による実施例がソフトウェアで具現される場合、この明細書に説明した技術は、この明細書に説明された機能（例えば、手順、機能など）を行うモジュールで具現できる。メモリ８２０、９２０は、プロセッサ８１０、９１０の内外部で具現できる。なおメモリ８２０、９２０がプロセッサ８１０、９１０の外部で具現される場合、通常の技術者に明らかな様々な方法によってプロセッサ８１０、９１０に通信可能に接続できる。
【０２３１】
なお、図１４に示した基地局８００及び端末９００は、説明の便宜のために示したものであり、一部のモジュールは省略されている。さらに、基地局８００及び端末９００は、必要なモジュールを含むことができる。また、基地局８００及び端末９００において、一部のモジュールは、より細分化されたモジュールに区分できる。プロセッサ８１０、９１０は、図を参照しながら例示した本発明の実施例による動作を行うように構成される。具体的には、プロセッサ８１０、９１０の詳しい動作は、図１乃至図１３に示した内容を参照できる。
【０２３２】
以上説明してきた実施例は、本発明の構成要素及び特徴を所定形態に結合し（組み合わせ）たもの（combinations）である。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は、変更されてもよい。ある実施例の一部の構成や特徴は、他の実施例に含まれてもよく、他の実施例の対応する構成又は特徴に置き換えられてもよい。特許請求の範囲において明示的な引用関係にない請求項を結合して実施例を構成したり、出願後の補正により新しい請求項として含めたりできるのは明らかである。
【０２３３】
本文書で基地局によって行われるとした特定の動作は、場合によっては、その上位ノード（upper node）によって行われることもある。すなわち、基地局を含む複数のネットワークノード（network nodes）からなるネットワークにおいて端末との通信のために行われる様々な動作は、基地局又は基地局以外の他のネットワークノードによって行われ得ることは明らかである。基地局は、固定局（fixed station）、ＮｏｄｅＢ、ｅＮｏｄｅＢ（ｅＮＢ）、アクセスポイント（access point）などの用語に置き換えてもよい。
【０２３４】
本発明に係る実施例は、様々な手段、例えば、ハードウェア、ファームウェア（firmware）、ソフトウェア又はそれらの結合などによって具現することができる。ハードウェアによる具現では、本発明の一実施例は、一つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０２３５】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２３６】
本発明は、本発明の特徴から逸脱しない範囲で別の特定の形態に具体化できるということは、当業者にとって自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更は、いずれも本発明の範囲に含まれる。
【産業上の利用可能性】
【０２３７】
上述したような無線通信システムにおいて、同期信号の送信方法及びそのための装置は、５世代ＮｅｗＲＡＴシステムにおいて適用される例を中心として説明したが、５世代ＮｅｗＲＡＴシステム以外にも様々な無線通信システムに適用することができる。
【図１】
0006750131.tif 000029
【図２】
0006750131.tif 000030
【図３】
0006750131.tif 000031
【図４】
0006750131.tif 000032
【図５】
0006750131.tif 000033
【図６】
0006750131.tif 000034
【図７】
0006750131.tif 000035
【図８（Ａ）】
0006750131.tif 000036
【図８（Ｂ）】
0006750131.tif 000037
【図９】
0006750131.tif 000038
【図１０】
0006750131.tif 000039
【図１１】
0006750131.tif 000040
【図１２】
0006750131.tif 000041
【図１３】
0006750131.tif 000042
【図１４】
0006750131.tif 000043